(57)【要約】【課題】簡易式ガス種特定装置による試料ガスの種類の特定精度を向上させることができるガス種特定精度調整装置、簡易式ガス種特定装置、ガス種特定システム、ガス種特定精度調整方法、及びプログラムを提供する。【解決手段】ガス種特定精度調整装置１６は、複数種類のガス成分の各々の濃度と、複数種類のガス成分の各々に対して各々定められた複数の閾値のうちの対応する閾値とを比較することで試料ガスの種類を特定する簡易式ガス種特定装置１２よりも試料ガスの種類を高精度に特定する高精度ガス種特定装置１４により特定された試料ガスの種類が、簡易式ガス種特定装置１２により特定された試料ガスの種類と異なる場合に、試料ガスについて、高精度ガス種特定装置１４により特定された試料ガスの種類が簡易式ガス種特定装置１２によって特定されるように複数の閾値のうちの特定の閾値を変更する。【選択図】図１
2019184551.tif 000002
【特許請求の範囲】
【請求項１】
複数種類のガス成分の各々の濃度と、前記複数種類のガス成分の各々に対して各々定められた複数の閾値のうちの対応する閾値とを比較することで試料ガスの種類を特定する簡易式ガス種特定装置よりも前記試料ガスの種類を高精度に特定する高精度ガス種特定装置により特定された前記試料ガスの種類が、前記簡易式ガス種特定装置により特定された前記試料ガスの種類と異なる場合に、前記試料ガスについて、前記高精度ガス種特定装置により特定された前記試料ガスの種類が前記簡易式ガス種特定装置によって特定されるように前記複数の閾値のうちの特定の閾値を変更する変更部
を含むガス種特定精度調整装置。
【請求項２】
前記高精度ガス種特定装置により特定された前記試料ガスの種類を特定するガス種特定情報を受け付ける受付部を更に含み、
前記変更部は、前記受付部により受け付けられた前記ガス種特定情報により特定された前記試料ガスの種類が、前記簡易式ガス種特定装置により特定された前記試料ガスの種類と異なる場合に、前記試料ガスについて、前記受付部により受け付けられた前記ガス種特定情報により特定された前記試料ガスの種類が前記簡易式ガス種特定装置によって特定されるように前記特定の閾値を変更する請求項１に記載のガス種特定精度調整装置。
【請求項３】
前記高精度ガス種特定装置は、前記複数種類のガス成分の各々の濃度を測定する機能を有しており、
前記変更部は、前記受付部により受け付けられた前記ガス種特定情報により特定された前記試料ガスの種類が、前記簡易式ガス種特定装置により特定された前記試料ガスの種類と異なる場合に、前記試料ガスについて、前記受付部により受け付けられた前記ガス種特定情報により特定された前記試料ガスの種類が前記簡易式ガス種特定装置によって特定されるように、前記高精度ガス種特定装置により測定された濃度に従って前記特定の閾値を変更する請求項２に記載のガス種特定精度調整装置。
【請求項４】
前記特定の閾値の変更内容の指示を受け付ける受付部を更に含み、
前記変更部は、前記高精度ガス種特定装置により特定された前記試料ガスの種類が、前記簡易式ガス種特定装置により特定された前記試料ガスの種類と異なる場合に、前記試料ガスについて、前記高精度ガス種特定装置により特定された前記試料ガスの種類が前記簡易式ガス種特定装置によって特定されるように、前記受付部によって受け付けられた前記指示に従って前記特定の閾値を変更する請求項１に記載のガス種特定精度調整装置。
【請求項５】
請求項１から請求項４の何れか１項に記載のガス種特定精度調整装置と、
複数種類のガス成分の各々の濃度と、前記複数種類のガス成分の各々に対して各々定められた複数の閾値のうちの対応する閾値とを比較した結果に基づいて前記試料ガスの種類を特定するガス信号を出力する出力部と、
を含む簡易式ガス種特定装置。
【請求項６】
複数種類のガス成分の各々の濃度と、前記複数種類のガス成分の各々に対して各々定められた複数の閾値のうちの対応する閾値とを比較することで試料ガスの種類を特定する簡易式ガス種特定装置と、
請求項１から請求項４の何れか１項に記載のガス種特定精度調整装置と、
を含むガス種特定システム。
【請求項７】
前記簡易式ガス種特定装置よりも前記試料ガスの種類を高精度に特定する高精度ガス種特定装置を更に含む請求項６に記載のガス種特定システム。
【請求項８】
簡易式ガス種特定装置により、複数種類のガス成分の各々の濃度と、前記複数種類のガス成分の各々に対して各々定められた複数の閾値のうちの対応する閾値とを比較することで試料ガスの種類を特定し、
高精度ガス種特定装置により、前記簡易式ガス種特定装置よりも前記試料ガスの種類を高精度に特定し、
変更部により、前記高精度ガス種特定装置により特定された前記試料ガスの種類と、前記簡易式ガス種特定装置により特定された前記試料ガスの種類とが異なる場合に、前記試料ガスについて、前記高精度ガス種特定装置により特定された前記試料ガスの種類が前記簡易式ガス種特定装置によって特定されるように前記複数の閾値のうちの特定の閾値を変更することを含むガス種特定精度調整方法。
【請求項９】
コンピュータを、
請求項１から請求項４の何れか１項に記載のガス種特定精度調整装置に含まれる前記変更部として機能させるためのプログラム。
【発明の詳細な説明】
【技術分野】
【０００１】
本発明は、ガス種特定精度調整装置、簡易式ガス種特定装置、ガス種特定システム、ガス種特定精度調整方法、及びプログラムに関する。
【背景技術】
【０００２】
特許文献１には、可燃性の試料ガスに含まれるメタンの濃度を基に係数を算出し、算出した係数を、試料ガスに含まれるメタン以外のガスの濃度に乗じること等により、試料ガスに含まれるガス成分の種類を特定する簡易式ガス種特定装置が開示されている（例えば、特許文献１参照）。
【０００３】
簡易式ガス種特定装置では、試料ガス中のメタンの濃度が予め定められた濃度以上であり、メタンの濃度に対するエタン、プロパン、及びブタンの濃度の割合が所定値未満の場合に試料ガスが発酵ガス単独に由来するガスであると常に特定される。
【先行技術文献】
【特許文献】
【０００４】
【特許文献１】特開平３−２１４０５４号公報
【発明の概要】
【発明が解決しようとする課題】
【０００５】
しかしながら、簡易式ガス種特定装置よりもガスの種類を高精度に特定可能な高精度ガス種特定装置（例えば、ガスクロマトグラフ等が搭載された装置）によって特定されるガスの種類と、簡易式ガス種特定装置によって特定される特定されるガスの種類とが異なってしまうことがある。
【０００６】
本発明は、簡易式ガス種特定装置よりも試料ガスの種類を高精度に特定する高精度ガス種特定装置による特定結果を用いない場合に比べ、簡易式ガス種特定装置による試料ガスの種類の特定精度を向上させることができるガス種特定精度調整装置、簡易式ガス種特定装置、ガス種特定システム、ガス種特定精度調整方法、及びプログラムを提供することを目的とする。
【課題を解決するための手段】
【０００７】
上記目的を達成するために、請求項１に記載のガス種特定精度調整装置は、複数種類のガス成分の各々の濃度と、前記複数種類のガス成分の各々に対して各々定められた複数の閾値のうちの対応する閾値とを比較することで前記試料ガスの種類を特定する簡易式ガス種特定装置よりも前記試料ガスの種類を高精度に特定する高精度ガス種特定装置により特定された前記試料ガスの種類が、前記簡易式ガス種特定装置により特定された前記試料ガスの種類と異なる場合に、前記試料ガスについて、前記高精度ガス種特定装置により特定された前記試料ガスの種類が前記簡易式ガス種特定装置によって特定されるように前記複数の閾値のうちの特定の閾値を変更する変更部を含む。
【０００８】
上記目的を達成するために、請求項５に記載の簡易式ガス種特定装置は、請求項１から請求項４の何れか１項に記載のガス種特定精度調整装置と、複数種類のガス成分の各々の濃度と、前記複数種類のガス成分の各々に対して各々定められた複数の閾値のうちの対応する閾値とを比較した結果に基づいて前記試料ガスの種類を特定するガス信号を出力する出力部と、を含む。
【０００９】
上記目的を達成するために、請求項６に記載のガス種特定システムは、複数種類のガス成分の各々の濃度と、前記複数種類のガス成分の各々に対して各々定められた複数の閾値のうちの対応する閾値とを比較することで試料ガスの種類を特定する簡易式ガス種特定装置と、請求項１から請求項４の何れか１項に記載のガス種特定精度調整装置と、を含む。
【００１０】
上記目的を達成するために、請求項８に記載のガス種特定精度調整方法は、簡易式ガス種特定装置が、複数種類のガス成分の各々の濃度と、前記複数種類のガス成分の各々に対して各々定められた複数の閾値のうちの対応する閾値とを比較することで前記試料ガスの種類を特定し、高精度ガス種特定装置が、前記簡易式ガス種特定装置よりも前記試料ガスの種類を高精度に特定し、変更部が、前記高精度ガス種特定装置により特定された前記試料ガスの種類と、前記簡易式ガス種特定装置により特定された前記試料ガスの種類とが異なる場合に、前記試料ガスについて、前記高精度ガス種特定装置により特定された前記試料ガスの種類が前記簡易式ガス種特定装置によって特定されるように前記複数の閾値のうちの特定の閾値を変更することを含む。
【００１１】
上記目的を達成するために、請求項９に記載のプログラムは、コンピュータを、請求項１から請求項４の何れか１項に記載のガス種特定精度調整装置に含まれる前記変更部として機能させるためのプログラムとされている。
【発明の効果】
【００１２】
本発明によれば、簡易式ガス種特定装置よりも試料ガスの種類を高精度に特定する高精度ガス種特定装置による特定結果を用いない場合に比べ、簡易式ガス種特定装置による試料ガスの種類の特定精度を向上させることができる。
【図面の簡単な説明】
【００１３】
【図１】実施形態に係るガス種特定システムの構成の一例を示すブロック図である。
【図２】実施形態に係るガス種特定システムに含まれる簡易式ガス種特定装置の構成の一例を示すブロック図である。
【図３】実施形態に係るガス種特定システムに含まれる高精度ガス種特定装置の構成の一例を示すブロック図である。
【図４】実施形態に係るガス種特定処理の流れの一例を示すフローチャートである。
【図５】図４に示すフローチャートの続きである。
【図６】図４に示すフローチャートの続きである。
【図７】実施形態に係るガス種特定精度調整処理の流れの一例を示すフローチャートである。
【図８】図７に示すフローチャートの続きである。
【図９】図８に示すフローチャートの続きである。
【図１０】実施形態に係る簡易式ガス種特定装置に含まれるＣＰＵの本発明に係る要部機能の一例を示すブロック図である。
【図１１】実施形態に係るガス種特定精度調整処理が実行されることによってディスプレイに表示される精度調整要否画面の一例を示す画面図である。
【図１２】実施形態に係るガス種特定精度調整処理が実行されることによってディスプレイに表示されるモード指示画面の一例を示す画面図である。
【図１３】実施形態に係るガス種特定精度調整処理が実行されることによってディスプレイに表示される閾値調整画面の一例を示す画面図である。
【図１４】実施形態に係るガス種特定精度調整処理に含まれるアラート処理が実行された場合にディスプレイに表示される閾値調整画面の一例を示す画面図である。
【図１５】実施形態に係るガス種特定精度調整処理が実行されることによってディスプレイに表示される濃度受付画面の一例を示す画面図である。
【図１６】実施形態に係るガス種特定システムの構成の変形例を示すブロック図である。
【図１７】実施形態に係るガス種特定精度調整プログラムが記憶された記憶媒体からガス種特定精度調整プログラムが簡易式ガス種特定装置にインストールされる態様の一例を示す概念図である。
【発明を実施するための形態】
【００１４】
以下、図面を参照して、本発明を実施するための形態例を詳細に説明する。
【００１５】
一例として図１に示すように、ガス種特定システム１０は、簡易式ガス種特定装置１２及び高精度ガス種特定装置１４を備えている。簡易式ガス種特定装置１２は、ガス種特定精度調整装置１６を備えている。高精度ガス種特定装置１４は、ガスクロマトグラフ１８を備えている。
【００１６】
簡易式ガス種特定装置１２は、複数種類のガス成分の各々の濃度と、複数種類のガス成分の各々に対して各々定められた複数の閾値（以下、単に「複数の閾値」と称する）のうちの対応する閾値とを比較することで試料ガスの種類を特定する。ガス種特定精度調整装置１６は、複数の閾値のうちの特定の閾値（以下、単に「特定の閾値」と称する）を変更することで試料ガスの種類を特定する精度を調整する。
【００１７】
ここで、複数種類のガス成分とは、例えば、メタン、エタン、プロパン、ブタン、及び炭酸ガスを指す。また、試料ガスとは、由来不明ガスがフィルタリングされることによって由来不明ガスからダストや水分等が除去されて得られたガスを指す。また、由来不明ガスとは、土壌等を経由して地中又は地表への漏出する由来が不明のガスを指す。
【００１８】
高精度ガス種特定装置１４は、簡易式ガス種特定装置１２よりも試料ガスの種類を高精度に特定する。また、高精度ガス種特定装置１４は、複数種類のガス成分の各々の濃度を測定する機能を有する。つまり、高精度ガス種特定装置１４では、ガスクロマトグラフ１８が、試料ガスの分析、すなわち、ガスクロマトグラフィーの原理によって試料ガスの含まれるガス成分を特定し、且つ、特定したガス成分の濃度を測定する。そして、高精度ガス種特定装置１４では、ガスクロマトグラフ１８による分析結果に基づいて試料ガスの種類が特定される。
【００１９】
一例として図２に示すように、簡易式ガス種特定装置１２は、サンプリングノズル２２、濃度検出部２４、ポンプ２６、駆動装置２８、制御装置４０、通信装置４１、記憶装置４３、受付デバイス４６、ディスプレイ４８、及び外部Ｉ／Ｆ３０を備えている。なお、本実施形態において、「Ｉ／Ｆ」とは、インタフェース（Ｉｎｔｅｒｆａｃｅ）の略称を指す。
【００２０】
制御装置４０は、ＣＰＵ３４、ＲＯＭ３６、及びＲＡＭ３８を備えている。なお、ここで、ＣＰＵとは、“Ｃｅｎｔｒａｌ  Ｐｒｏｃｅｓｓｉｎｇ  Ｕｎｉｔ”の略称を指す。また、ＲＯＭとは、“Ｒｅａｄ  Ｏｎｌｙ  Ｍｅｍｏｒｙ”の略称を指す。更に、ＲＡＭとは、“Ｒａｎｄｏｍ  Ａｃｃｅｓｓ  Ｍｅｍｏｒｙ”の略称を指す。
【００２１】
ＣＰＵ３４、ＲＯＭ３６、及びＲＡＭ３８は、バスライン３２に接続されている。バスライン３２は、外部Ｉ／Ｆ３０に接続されている。すなわち、制御装置４０は、バスライン３２を介して外部Ｉ／Ｆ３０に接続されている。
【００２２】
ＣＰＵ３４は、簡易式ガス種特定装置１２の全体を制御する。ＲＯＭ３６は、簡易式ガス種特定装置１２の基本的な動作を制御するプログラムや各種パラメータ等を記憶するメモリである。ＲＡＭ３８は、各種プログラムの実行時のワークエリア等として用いられる揮発性のメモリである。
【００２３】
外部Ｉ／Ｆ３０は、簡易式ガス種特定装置１２の電気系デバイス（以下、「第１電気系デバイス」と称する）と接続されており、ＣＰＵ３４の制御下で動作し、ＣＰＵ３４と第１電気系デバイスとの間での各種情報の送受信を司る。なお、図２に示す例では、第１電気系デバイスの一例として、濃度検出部２４、駆動装置２８、通信装置４１、記憶装置４３、受付デバイス４６、及びディスプレイ４８が示されている。
【００２４】
通信装置４１は、外部に設置されている第１通信装置（後述）との間で、ＣＰＵ３４の制御下で通信を行うことにより各種情報の送受信を行う。すなわち、通信装置４１は、第１通信装置から送信された情報を受信し、受信した情報を外部Ｉ／Ｆ３０及びバスライン３２を介してＣＰＵ３４に出力する。また、通信装置４１は、ＣＰＵ３４からバスライン３２及び外部Ｉ／Ｆ３０を介して入力された情報を第１通信装置に送信する。なお、第１通信装置の一例としては、高精度ガス種特定装置１４、パーソナル・コンピュータ（図示省略）、サーバ（図示省略）、及びスマートデバイス（図示省略）のうちの少なくとも１つが挙げられる。
【００２５】
また、通信装置４１は、複数のＧＰＳ衛星からの電波を受信し、受信結果を示す受信結果情報をＣＰＵ３４に出力する。ＣＰＵ３４は、通信装置４１から入力された受信結果情報に基づいて簡易式ガス種特定装置１２の現在位置を算出する。なお、ＧＰＳとは、“Ｇｌｏｂａｌ  Ｐｏｓｉｔｉｏｎｉｎｇ  Ｓｙｓｔｅｍ”の略称を指す。
【００２６】
記憶装置４３は、ガス種特定プログラム５０及びガス種特定精度調整プログラム５３を記憶している。記憶装置４３の一例としては、ＨＤＤ、ＥＥＰＲＯＭ、又はＳＳＤが挙げられる。なお、ここで、ＨＤＤとは、“Ｈａｒｄ  Ｄｉｓｋ  Ｄｒｉｖｅ”の略称を指す。また、ＥＥＰＲＯＭとは、“Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ”の略称を指す。また、ＳＳＤとは、“Ｓｏｌｉｄ  Ｓｔａｔｅ  Ｄｒｉｖｅ”の略称を指す。
【００２７】
受付デバイス４６は、本発明に係る受付部の一例である。受付デバイス４６は、キーボード、マウス、及びタッチパネル等を有しており、ユーザによる各種指示を受け付ける。受付デバイス４６は、受け付けた指示の内容を示す信号（以下、「第１指示内容信号」と称する）を外部Ｉ／Ｆ３０及びバスライン３２を介してＣＰＵ３４に出力する。ＣＰＵ３４は、受付デバイス４６から入力された第１指示内容信号に応じた処理を実行する。
【００２８】
ディスプレイ４８は、例えば、ＬＣＤ又はＯＥＬＤ等である。ディスプレイ４８は、ＣＰＵ３４の指示に従って、メニュー画面等の各種画面を表示する。なお、ここで、ＬＣＤとは、“Ｌｉｑｕｉｄ  Ｃｒｙｓｔａｌ  Ｄｉｓｐｌａｙ”の略称を指す。また、ＯＥＬＤとは、“Ｏｒｇａｎｉｃ  Ｅｌｅｃｔｒｏｌｕｍｉｎｅｓｃｅｎｃｅ  Ｄｉｓｐｌａｙ”の略称を指す。
【００２９】
駆動装置２８は、ポンプ２６に接続されており、ＣＰＵ３４からの指示に従って、吸引用のポンプ２６を制御する。
【００３０】
サンプリングノズル２２はガス管４２を介して濃度検出部２４に接続されており、濃度検出部２４は、ガス管４４を介してポンプ２６に接続されている。従って、ポンプ２６が作動することで、外部からサンプリングノズル２２に、由来不明ガスが引き込まれ、サンプリングノズル２２から濃度検出部２４に、試料ガスが引き込まれる。
【００３１】
サンプリングノズル２２は、例えば、地中又は地表において、ガスを採取する箇所として予め定められた箇所で用いられる。サンプリングノズル２２が予め定められた箇所に設置された状態でポンプ２６が作動すると、ポンプ２６の吸引力により、サンプリングノズル２２は由来不明ガスを採取する。
【００３２】
サンプリングノズル２２には、フィルタ（図示省略）が充填されており、ポンプ２６の吸引力により、由来不明ガスがフィルタを透過し、これにより、ダストや水分等が除去され、試料ガスが得られる。
【００３３】
濃度検出部２４は、ポンプ２６の吸引力により、サンプリングノズル２２からガス管４２を介して試料ガスを取り込み、取り込んだ試料ガスに含まれるメタン、エタン、プロパン、及び炭酸ガス等の各種ガス成分を個々に検出する。そして、濃度検出部２４は、検出したガス成分毎の濃度を検出し、検出した濃度を示す濃度情報を外部Ｉ／Ｆ３０に出力する。ＣＰＵ３４は、外部Ｉ／Ｆ３０を介して濃度検出部２４から濃度情報を取得する。
【００３４】
なお、図２に示す例では、ガス種特定精度調整装置１６は、外部Ｉ／Ｆ３０、バスライン３２、制御装置４０、通信装置４１、記憶装置４３、受付デバイス４６、及びディスプレイ４８を備えている。
【００３５】
一例として図３に示すように、高精度ガス種特定装置１４は、ガスクロマトグラフ１８、制御装置５１、バスライン５８、外部Ｉ／Ｆ６０、記憶装置６２、受付デバイス６４、ディスプレイ６６、及び通信装置６８を備えている。
【００３６】
制御装置５１は、ＣＰＵ５２、ＲＯＭ５４、及びＲＡＭ５６を備えており、バスライン５８を介して外部Ｉ／Ｆ６０に接続されている。
【００３７】
外部Ｉ／Ｆ６０は、高精度ガス種特定装置１４の電気系デバイス（以下、「第２電気系デバイス」と称する）と接続されており、ＣＰＵ５２の制御下で動作し、ＣＰＵ５２と第２電気系デバイスとの間での各種情報の送受信を司る。なお、図３に示す例では、第２電気系デバイスの一例として、ガスクロマトグラフ１８、記憶装置６２、受付デバイス６４、ディスプレイ６６、及び通信装置６８が示されている。
【００３８】
ガスクロマトグラフ１８は、ＣＰＵ５２の制御下で作動する。ＣＰＵ５２は、ガスクロマトグラフ１８による分析結果、すなわち、ガスクロマトグラフ１８によって特定されたガス成分の種類、及び、ガスクロマトグラフ１８によって測定されたガス成分の濃度を、外部Ｉ／Ｆ６０及びバスライン５８を介して取得する。ＣＰＵ５２は、ガスクロマトグラフ１８による分析結果に基づいて試料ガスの種類を特定する。
【００３９】
記憶装置６２は、ＣＰＵ５２の制御下で作動する。記憶装置６２は、各種プログラム及びパラメータ等の各種情報を記憶しており、ＣＰＵ５２は、外部Ｉ／Ｆ６０及びバスライン５８を介して、記憶装置６２から各種情報を取得する。記憶装置６２の一例としては、ＨＤＤ、ＥＥＰＲＯＭ、又はＳＳＤが挙げられる。
【００４０】
受付デバイス６４は、キーボード、マウス、及びタッチパネル等を有しており、ユーザによる各種指示を受け付ける。受付デバイス６４は、受け付けた指示の内容を示す信号（以下、「第２指示内容信号」と称する）を外部Ｉ／Ｆ６０及びバスライン５８を介してＣＰＵ５２に出力する。ＣＰＵ５２は、受付デバイス６４から入力された第２指示内容信号に応じた処理を実行する。
【００４１】
ディスプレイ６６は、例えば、ＬＣＤ又はＯＥＬＤ等である。ディスプレイ６６は、ＣＰＵ５２の指示に従って、特定された試料ガスの種類を示す情報、ガスクロマトグラフ１８による分析結果、及びメニュー画面等の各種画面を表示する。
【００４２】
通信装置６８は、外部に設置されている第２通信装置（後述）との間で、ＣＰＵ５２の制御下で通信を行うことにより各種情報の送受信を行う。すなわち、通信装置６８は、第２通信装置から送信された情報を受信し、受信した情報を外部Ｉ／Ｆ６０及びバスライン５８を介してＣＰＵ５２に出力する。また、通信装置６８は、ＣＰＵ５２からバスライン５８及び外部Ｉ／Ｆ６０を介して入力された情報を第２通信装置に送信する。なお、第２通信装置の一例としては、簡易式ガス種特定装置１２、パーソナル・コンピュータ（図示省略）、サーバ（図示省略）、及びスマートデバイス（図示省略）のうちの少なくとも１つが挙げられる。
【００４３】
図２に示す例において、ＣＰＵ３４は、記憶装置４３からガス種特定プログラム５０を読み出し、読み出したガス種特定プログラム５０をＲＡＭ３８に展開する。ＣＰＵ３４は、ＲＡＭ３８に展開したガス種特定プログラム５０を実行することで、一例として図１０に示す出力部７０として動作する。また、ＣＰＵ３４は、記憶装置４３からガス種特定精度調整プログラム５３を読み出し、読み出したガス種特定精度調整プログラム５３をＲＡＭ３８に展開する。ＣＰＵ３４は、ＲＡＭ３８に展開したガス種特定精度調整プログラム５３を実行することで、一例として図１０に示す変更部７２として動作する。
【００４４】
図１０に示す例において、出力部７０は、複数種類のガス成分の各々の濃度と、複数の閾値のうちの対応する閾値とを比較した結果に基づいて試料ガスの種類を特定するガス信号を出力する。
【００４５】
図１０に示す例において、変更部７２は、予め定められた条件を満足した場合に、試料ガスについて、高精度ガス種特定装置１４により特定された試料ガスの種類が簡易式ガス種特定装置１２によって特定されるように特定の閾値を変更する。ここで、予め定められた条件とは、高精度ガス種特定装置１４により特定された試料ガスの種類が、簡易式ガス種特定装置１２により特定された試料ガスの種類と異なる、との条件を指す。
【００４６】
また、一例として図１０に示すように、ＣＰＵ３４は、処理部７４としても動作する。処理部７４は、ＣＰＵ３４を出力部７０及び変更部７２として動作させるために必要な処理を行う。
【００４７】
次に、ガス種特定システム１０の本発明に係る部分の作用として、ＣＰＵ３４がガス種特定プログラム５０に従うことで、ＣＰＵ３４によって実行されるガス種特定処理について図４〜図６を参照して説明する。
【００４８】
なお、図４〜図６に示すガス種特定処理は、下記の表１に示す組成例に基づいて設計された処理である。なお、表１は、都市ガス及びＬＰＧの一般的な組成例である。
【００４９】
【表１】
2019184551.tif 000003
【００５０】
図４に示すガス種特定処理では、ステップ１００で、処理部７４は、濃度検出部２４から濃度情報を取得し、その後、ステップ１０２へ移行する。
【００５１】
ステップ１０２で、処理部７４は、ステップ１００で取得した濃度情報を参照して、試料ガス中のメタンの濃度が３０ｐｐｍ（ｐａｒｔｓ  ｐｅｒ  ｍｉｌｌｉｏｎ）以上であるか否かを判定する。なお、ここで言う「３０ｐｐｍ」は、複数の閾値のうちの１つである。
【００５２】
ステップ１０２において、試料ガス中のメタンの濃度が３０ｐｐｍ未満の場合は、判定が否定されて、図５に示すステップ１０４へ移行する。ステップ１０２において、試料ガス中のメタンの濃度が３０ｐｐｍ以上の場合は、判定が肯定されて、ステップ１１０へ移行する。
【００５３】
図５に示すステップ１０４で、処理部７４は、ステップ１００で取得した濃度情報を参照して、試料ガス中のプロパンの濃度が１０ｐｐｍ以上であるか否かを判定する。なお、本ステップ１０４で用いられる“１０ｐｐｍ”はあくまでも一例であり、他の濃度が採用されてもよい。なお、ここで言う「１０ｐｐｍ」は、複数の閾値のうちの１つである。
【００５４】
ステップ１０４において、試料ガス中のプロパンの濃度が１０ｐｐｍ以上の場合は、ステップ１０６へ移行する。ステップ１０４において、試料ガス中のプロパンの濃度が１０ｐｐｍ未満の場合は、ステップ１０８へ移行する。
【００５５】
ステップ１０６で、出力部７０は、試料ガスがＬＰＧ（液化石油ガス：Ｌｉｑｕｉｄ  Ｐｅｔｒｏｌｅｕｍ  Ｇａｓ）単独に由来するガスであることを示すＬＰＧ信号をガス信号としてディスプレイ４８及び記憶装置４３に出力し、その後、本ガス種特定処理を終了する。
【００５６】
ディスプレイ４８は、ＬＰＧ信号が入力されると、試料ガスがＬＰＧ単独に由来するガスであることを示すメッセージや画像等を表示する。記憶装置４３は、入力されたＬＰＧ信号と、現在時刻と、現在位置情報と、ステップ１００で取得された濃度情報とを対応付けて記憶する。
【００５７】
ここで、現在時刻は、例えば、簡易式ガス種特定装置１２に内蔵されているＲＴＣ（図示省略）から処理部７４によって取得される。なお、ＲＴＣとは、“Ｒｅａｌ  Ｔｉｍｅ  Ｃｌｏｃｋ”の略称を指す。
【００５８】
また、ここで、現在位置情報とは、簡易式ガス種特定装置１２の現在位置を示す情報を指す。現在位置情報の一例としては、処理部７４がＧＰＳを利用して算出した緯度、経度、及び高度を示す座標が挙げられる。
【００５９】
ステップ１０８で、出力部７０は、試料ガスが大気ガスに由来するガスであることを示す大気ガス信号をガス信号としてディスプレイ４８及び記憶装置４３に出力し、その後、本ガス種特定処理を終了する。
【００６０】
ディスプレイ４８は、大気ガス信号が入力されると、ディスプレイ４８に対して、試料ガスが大気ガス単独に由来するガスであることを示すメッセージや画像等を表示する。記憶装置４３は、入力された大気ガス信号と、現在時刻と、現在位置情報と、ステップ１００で取得された濃度情報とを対応付けて記憶する。
【００６１】
図４に示すステップ１１０で、処理部７４は、ステップ１００で取得した濃度情報により示されるメタンの濃度を下記の式（１）に代入することでＹ値を算出し、その後、ステップ１１２へ移行する。
【００６２】
（Ｙ値）＝１００／（メタンの濃度）・・・・（１）
【００６３】
ステップ１１２で、処理部７４は、特定可燃性ガスの濃度比率を算出し、算出した濃度比率が１未満であるか、１以上１００未満であるか、１００以上であるかを判定する。
【００６４】
なお、ここで言う「特定可燃性ガス」とは、エタン及びプロパンを指す。また、ここで言う「特定可燃性ガスの濃度比率」とは、ステップ１００で取得された濃度情報により示されるエタンの濃度とプロパンの濃度との和に対して、ステップ１１０で算出されたＹ値を乗じて得た値を指す。
【００６５】
なお、本実施形態では、特定可燃性ガスの濃度比率も、他のガス成分の濃度と同様に、本発明に係る濃度の一例である。また、ステップ１１２の判定で用いられる“１”及び“１００”は、あくまでも一例であり、他の値が採用されてもよい。また、ステップ１１２において、算出された濃度比率と比較される“１”及び“１００”の各々は、複数の閾値のうちの１つである。
【００６６】
ステップ１１２において、特定可燃性ガスの濃度比率が１００以上の場合は、図６に示すステップ１１４へ移行する。ステップ１１２において、特定可燃性ガスの濃度比率が１以上１００未満の場合は、ステップ１２４へ移行する。ステップ１１２において、特定可燃性ガスの濃度比率が１未満の場合は、ステップ１３４へ移行する。
【００６７】
図６に示すステップ１１４で、処理部７４は、エタンの濃度比率を算出し、算出した濃度比率が０．５以上であるか否かを判定する。ここで言う「エタンの濃度比率」とは、ステップ１００で取得された濃度情報により示されるエタンの濃度に対して、ステップ１１０で算出されたＹ値を乗じて得た値を指す。なお、本実施形態では、エタンの濃度比率も、他のガス成分の濃度と同様に、本発明に係る濃度の一例である。ステップ１１４で用いられる“０．５”はあくまでも一例であり、他の値が採用されてもよい。また、ステップ１１４で用いられる“０．５”は、複数の閾値のうちの１つである。
【００６８】
ステップ１１４において、エタンの濃度比率が０．５未満の場合は、ステップ１１６へ移行する。ステップ１１４において、エタンの濃度比率が０．５以上の場合は、ステップ１１８へ移行する。
【００６９】
ステップ１１６で、出力部７０は、試料ガスがＬＰＧ及び発酵ガスの混合ガスに由来するガスであることを示すＬＰＧ・発酵ガス信号をガス信号としてディスプレイ４８及び記憶装置４３に出力し、その後、本ガス種特定処理を終了する。
【００７０】
ディスプレイ４８は、ＬＰＧ・発酵ガス信号が入力されると、試料ガスがＬＰＧ及び発酵ガスの混合ガスに由来するガスであることメッセージや画像等を表示する。記憶装置４３は、入力されたＬＰＧ・発酵ガス信号と、現在時刻と、現在位置情報と、ステップ１００で取得された濃度情報とを対応付けて記憶する。
【００７１】
ステップ１１８で、処理部７４は、ステップ１００で取得した濃度情報を参照して、試料ガス中の炭酸ガスの濃度が５００ｐｐｍ以上であるか否かを判定する。なお、本ステップ１１８で用いられる“５００ｐｐｍ”はあくまでも一例であり、他の濃度が採用されてもよい。また、本ステップ１１８で用いられる“５００ｐｐｍ”は、複数の閾値のうちの１つである。
【００７２】
ステップ１１８において、試料ガス中の炭酸ガスの濃度が５００ｐｐｍ未満の場合は、ステップ１２０へ移行する。ステップ１１８において、試料ガス中の炭酸ガスの濃度が５００ｐｐｍ以上の場合は、ステップ１２２へ移行する。
【００７３】
ステップ１２０で、出力部７０は、試料ガスがＬＰＧ及び都市ガスの混合ガスに由来するガスであることを示すＬＰＧ・都市ガス信号をガス信号としてディスプレイ４８及び記憶装置４３に出力し、その後、本ガス種特定処理を終了する。
【００７４】
ディスプレイ４８は、ＬＰＧ・都市ガス信号が入力されると、試料ガスがＬＰＧ及び都市ガスの混合ガスに由来するガスであることメッセージや画像等を表示する。記憶装置４３は、入力されたＬＰＧ・都市ガス信号と、現在時刻と、現在位置情報と、ステップ１００で取得された濃度情報とを対応付けて記憶する。
【００７５】
ステップ１２２で、出力部７０は、試料ガスが都市ガス、ＬＰＧ、及び発酵ガスの混合ガスに由来するガスであることを示す都市・ＬＰＧ・発酵ガス信号をガス信号としてディスプレイ４８及び記憶装置４３に出力し、その後、本ガス種特定処理を終了する。
【００７６】
ディスプレイ４８は、都市・ＬＰＧ・発酵ガス信号が入力されると、試料ガスが都市ガス、ＬＰＧ、及び発酵ガスの混合ガスに由来するガスであることメッセージや画像等を表示する。記憶装置４３は、入力された都市・ＬＰＧ・発酵ガス信号と、現在時刻と、現在位置情報と、ステップ１００で取得された濃度情報とを対応付けて記憶する。
【００７７】
図４に示すステップ１２４で、処理部７４は、エタンの濃度比率を算出し、算出した濃度比率が０．５以上であるか否かを判定する。なお、本ステップ１２４で用いられる“０．５”はあくまでも一例であり、他の値が採用されてもよい。また、本ステップ１２４で用いられる“０．５”は、複数の閾値のうちの１つである。
【００７８】
ステップ１２４において、エタンの濃度比率が０．５未満の場合は、ステップ１２６へ移行する。ステップ１２４において、エタンの濃度比率が０．５以上の場合は、ステップ１２８へ移行する。
【００７９】
ステップ１２６で、出力部７０は、ＬＰＧ・発酵ガス信号をガス信号としてディスプレイ４８及び記憶装置４３に出力し、その後、本ガス種特定処理を終了する。
【００８０】
ディスプレイ４８は、ＬＰＧ・発酵ガス信号が入力されると、試料ガスがＬＰＧ及び発酵ガスの混合ガスに由来するガスであることを示すメッセージや画像等を表示する。記憶装置４３は、入力されたＬＰＧ・発酵ガス信号と、現在時刻と、現在位置情報と、ステップ１００で取得された濃度情報とを対応付けて記憶する。
【００８１】
ステップ１２８で、処理部７４は、ステップ１００で取得した濃度情報を参照して、試料ガス中の炭酸ガスの濃度が５００ｐｐｍ以上であるか否かを判定する。なお、本ステップ１２８で用いられる“５００ｐｐｍ”はあくまでも一例であり、他の濃度が採用されてもよい。また、本ステップ１２８で用いられる“５００ｐｐｍ”は、複数の閾値のうちの１つである。
【００８２】
ステップ１２８において、試料ガス中の炭酸ガスの濃度が５００ｐｐｍ未満の場合は、ステップ１３０へ移行する。ステップ１２８において、試料ガス中の炭酸ガスの濃度が５００ｐｐｍ以上の場合は、ステップ１３２へ移行する。
【００８３】
ステップ１３０で、出力部７０は、試料ガスが都市ガス単独に由来するガスであることを示す都市ガス信号をガス信号としてディスプレイ４８及び記憶装置４３に出力し、その後、本ガス種特定処理を終了する。
【００８４】
ディスプレイ４８は、都市ガス信号が入力されると、試料ガスが都市ガス単独に由来するガスであることを示すメッセージや画像等を表示する。記憶装置４３は、入力された都市ガス信号と、現在時刻と、現在位置情報と、ステップ１００で取得された濃度情報とを対応付けて記憶する。
【００８５】
ステップ１３２で、出力部７０は、試料ガスが都市ガス及び発酵ガスの混合ガスに由来するガスであることを示す都市・発酵ガス信号をガス信号としてディスプレイ４８及び記憶装置４３に出力し、その後、本ガス種特定処理を終了する。
【００８６】
ディスプレイ４８は、都市・発酵ガス信号が入力されると、試料ガスが都市ガス及び発酵ガスの混合ガスに由来するガスであることメッセージや画像等を表示する。記憶装置４３は、入力された都市・発酵ガス信号と、現在時刻と、現在位置情報と、ステップ１００で取得された濃度情報とを対応付けて記憶する。
【００８７】
ステップ１３４で、処理部７４は、ステップ１００で取得した濃度情報を参照して、試料ガス中のプロパンの濃度が１ｐｐｍ以上であるか否かを判定する。なお、本ステップ１３４で用いられる“１ｐｐｍ”はあくまでも一例であり、他の濃度が採用されてもよい。また、本ステップ１３４で用いられる“１ｐｐｍ”は、複数の閾値のうちの１つである。
【００８８】
ステップ１３４において、試料ガス中のプロパンの濃度が１ｐｐｍ以上の場合は、ステップ１３６へ移行する。ステップ１３４において、試料ガス中のプロパンの濃度が１ｐｐｍ未満の場合は、ステップ１３８へ移行する。
【００８９】
ステップ１３６で、処理部７４は、エタンの濃度比率を算出し、算出した濃度比率が１ｐｐｍ以上であるか否かを判定する。なお、本ステップ１３６で用いられる“１ｐｐｍ”はあくまでも一例であり、他の濃度が採用されてもよい。また、本ステップ１３６で用いられる“１ｐｐｍ”は、複数の閾値のうちの１つである。
【００９０】
ステップ１３６において、エタンの濃度比率が１以上の場合は、ステップ１３２へ移行する。ステップ１３６において、エタンの濃度比率が１未満の場合は、ステップ１３８へ移行する。
【００９１】
ステップ１３８で、処理部７４は、試料ガスが発酵ガス単独にガスであることを示す発酵ガス信号をガス信号としてディスプレイ４８及び記憶装置４３に出力し、その後、本ガス種特定処理を終了する。
【００９２】
ディスプレイ４８は、発酵ガス信号が入力されると、試料ガスが発酵ガス単独に由来するガスであることを示すメッセージや画像等を表示する。記憶装置４３は、入力された発酵ガス信号と、現在時刻と、現在位置情報と、ステップ１００で取得された濃度情報とを対応付けて記憶する。
【００９３】
なお、以下では、説明の便宜上、発酵ガス信号、都市・発酵ガス信号、都市ガス信号、ＬＰＧ・発酵ガス信号、都市・ＬＰＧ・発酵ガス信号、ＬＰＧ・都市ガス信号、ＬＰＧ信号、及び大気ガス信号を区別して説明する必要がない場合、「ガス信号」と称する。
【００９４】
次に、ガス種特定システム１０の本発明に係る部分の作用として、ＣＰＵ３４がガス種特定精度調整プログラム５３に従うことで、ＣＰＵ３４によって実行されるガス種特定精度調整処理について図７〜図９を参照して説明する。なお、ガス種特定精度調整処理は、受付デバイス４６によってガス種特定精度調整処理の実行を開示する指示が受け付けられた場合にＣＰＵ３４によって実行される。
【００９５】
また、以下では、説明の便宜上、記憶装置４３にガス信号が、対応する現在時刻、現在位置情報、及び濃度情報と共に記憶装置４３に記憶されていることを前提として説明する。また、以下では、高精度ガス種特定装置１４によって、試料ガスの種類、試料ガスに含まれるガス成分、及び試料ガスに含まれるガス成分の濃度が判明されていることを前提として説明する。なお、高精度ガス種特定装置１４による分析に供される試料ガスは、上述したガス種特定処理に供された試料ガスを採取した箇所を掘削して特定された漏洩箇所から採取されたガスであるが、本発明はこれに限らない。例えば、高精度ガス種特定装置１４による分析に供される試料ガスは、上述したガス種特定処理に供された試料ガスであってもよい。
【００９６】
図７に示すガス種特定精度調整処理では、ステップ１５０で、処理部７４は、ガス信号指定情報が受付デバイス４６によって受け付けられたか否かを判定する。ガス信号指定情報は、記憶装置４３に既に記憶されているガス信号を一意に特定することが可能な情報である。ここでは、ガス信号指定情報の一例として、記憶装置４３に既に記憶されているガス信号に対応付けられて記憶装置４３に記憶されている現在時刻及び現在位置情報が採用されている。なお、ここでは、ガス信号指定情報として現在時刻及び現在位置情報を例示しているが、本発明はこれに限定されず、例えば、現在時刻又は現在位置情報がガス信号指定情報として採用されてもよいし、現在時刻又は現在位置情報以外にガス信号を一意に特定することが可能な情報がガス信号指定情報として採用されてもよい。
【００９７】
ステップ１５０において、ガス信号指定情報が受付デバイス４６によって受け付けられていない場合は、判定が否定されて、ステップ１５２へ移行する。ステップ１５０において、ガス信号指定情報が受付デバイス４６によって受け付けられた場合は、判定が肯定されて、ステップ１５４へ移行する。
【００９８】
ステップ１５２で、処理部７４は、ガス種特定精度調整処理を終了する条件（以下、「終了条件」と称する）を満足したか否かを判定する。終了条件の一例としては、ガス種特定精度調整処理の実行が開始されてから予め定められた時間（例えば、１分）が経過した、との条件が挙げられる。終了条件の他例としては、ガス種特定精度調整処理を終了する指示が受付デバイス４６によって受け付けられた、との条件が挙げられる。
【００９９】
ステップ１５２において、終了条件を満足していない場合は、判定が否定されて、ステップ１５０へ移行する。ステップ１５２において、終了条件を満足していない場合は、判定が肯定されて、ガス種特定精度調整処理を終了する。
【０１００】
ステップ１５４で、処理部７４は、ステップ１５０において受付デバイス４６によって受け付けられたガス信号指定情報に対応するガス信号を記憶装置４３から読み出し、その後、ステップ１５６へ移行する。
【０１０１】
ステップ１５６で、処理部７４は、受付デバイス４６によってガス種特定情報が受け付けられたか否かを判定する。ここで、ガス種特定情報とは、高精度ガス種特定装置１４によって特定された試料ガスの種類を特定する情報を指す。
【０１０２】
ステップ１５６において、受付デバイス４６によってガス種特定情報が受け付けられていない場合は、判定が否定されて、ステップ１５８へ移行する。ステップ１５６において、受付デバイス４６によってガス種特定情報が受け付けられた場合は、判定が肯定されて、ステップ１６０へ移行する。
【０１０３】
ステップ１５８で、処理部７４は、終了条件を満足したか否かを判定する。ステップ１５８において、終了条件を満足していない場合は、判定が否定されて、ステップ１５６へ移行する。ステップ１５８において、終了条件を満足した場合は、判定が肯定されて、ガス種特定精度調整処理を終了する。
【０１０４】
ステップ１６０で、処理部７４は、ガス種が異なるか否かを判定する。ここで、ガス種が異なるとは、ステップ１５４で読み出したガス信号により示される試料ガスの種類と、ステップ１５６において受付デバイス４６によって受け付けられたガス種特定情報により特定される試料ガスの種類とが異なることを意味する。
【０１０５】
ステップ１６０において、ガス種が異なっていない場合は、判定が否定されて、ガス種特定精度調整処理を終了する。ステップ１６０において、ガス種が異なる場合は、判定が肯定されて、ステップ１６２へ移行する。
【０１０６】
ステップ１６２で、処理部７４は、一例として図１１に示すように、ディスプレイ４８に対して、精度調整要否画面４８Ａの表示を開始させ、その後、ステップ１６４へ移行する。図１１に示す例では、精度調整要否画面４８Ａには、メッセージ４８Ａ１と、「はい」ボタン４８Ａ２と、「いいえ」ボタン４８Ａ３と、が表示されている。
【０１０７】
図１１に示す例では、メッセージ４８Ａ１として、「ガス種の特定精度を上げますか？」とのメッセージが示されているが、本発明はこれに限定されない。すなわち、簡易式ガス種特定装置１２による試料ガスの種類の特定精度の調整の要否をユーザに問うメッセージであれば如何なるメッセージであってもよい。また、簡易式ガス種特定装置１２による試料ガスの種類の特定精度の調整の要否をユーザに対して知覚可能に問う情報であれば、メッセージ、画像、記号、及び音声情報の少なくとも１つであってもよい。
【０１０８】
「はい」ボタン４８Ａ２は、メッセージ４８Ａ１による問いに同意する場合に受付デバイス４６によって受け付けられた指示に従って押される。これに対し、「いいえ」ボタン４８Ａ３は、メッセージ４８Ａ１による問いに同意しない場合に受付デバイス４６によって受け付けられた指示に従って押される。
【０１０９】
ステップ１６４で、処理部７４は、精度調整が必要か否かを判定する。ここで、精度調整が必要な場合とは、「はい」ボタン４８Ａ２が押された場合を意味する。これに対し、精度調整が不要の場合とは、「いいえ」ボタン４８Ａ３が押された場合を意味する。
【０１１０】
ステップ１６４において、精度調整が必要の場合は、判定が肯定されて、ステップ１６６へ移行する。ステップ１６４において、精度調整が不要の場合は、判定が否定されて、ガス種特定精度調整処理を終了する。
【０１１１】
ステップ１６６で、処理部７４は、一例として図１２に示すように、ディスプレイ４８に対して、動作モード指示画面４８Ｂの表示を開始させ、その後、ステップ１６８へ移行する。図１２に示す例では、メッセージ４８Ｂ１と、ガス種反映モードボタン４８Ｂ２と、閾値指示モードボタン４８Ｂ３と、濃度指示モードボタン４８Ｂ４と、が表示されている。
【０１１２】
図１２に示す例では、メッセージ４８Ｂ１として、「以下の何れかの動作モードをご指定下さい。」とのメッセージが示されているが、本発明はこれに限定されない。すなわち、ガス種反映モード、閾値指示モード、及び濃度指示モードの何れかの指定をユーザに促すメッセージであれば如何なるメッセージあってもよい。また、ガス種反映モード、閾値指示モード、及び濃度指示モードの何れかの指定をユーザに対して知覚可能に促す情報であれば、メッセージ、画像、記号、及び音声情報のうちの少なくとも１つであってもよい。
【０１１３】
ここで、ガス種反映モードとは、高精度ガス種特定装置１４によって特定された試料ガスの種類を、簡易式ガス種特定装置１２による特定結果に反映させる動作モードを指す。すなわち、ガス種反映モードでは、簡易式ガス種特定装置１２によって特定される試料ガスの種類として、高精度ガス種特定装置１４によって特定された試料ガスの種類となるように複数の閾値のうちの特定の閾値が変更される。なお、以下では、説明の便宜上、簡易式ガス種特定装置１２によって特定される試料ガスの種類を「簡易式試料ガス種」とも称する。また、以下では、説明の便宜上、高精度ガス種特定装置１４によって特定された試料ガスの種類を「高精度試料ガス種」とも称する。
【０１１４】
ここで、特定の閾値とは、複数の閾値のうち、高精度試料ガス種を示すガス信号を出力部７０に対して出力させるための判定で用いられる閾値を指す。例えば、高精度試料ガス種がＬＰＧであり、簡易式試料ガス種が大気ガスであった場合、特定の閾値とは、ステップ１０４の判定で用いられる“１０ｐｐｍ”を指す。
【０１１５】
また、例えば、高精度試料ガス種がＬＰＧ及び発酵ガスの混合ガスであり、簡易式試料ガス種がＬＰＧ及び都市ガスの混合ガスであった場合、特定の閾値とは、ステップ１１２，１１４，１１８の各判定で用いられる各閾値のうちの少なくとも１つを指す。ステップ１１２の判定で用いられる閾値は、“１”及び“１００”であり、ステップ１１４の判定で用いられる閾値は、“０．５”であり、ステップ１１８の判定で用いられる閾値は、“５００ｐｐｍ”である。
【０１１６】
また、例えば、高精度試料ガス種がＬＰＧ及び発酵ガスの混合ガスであり、簡易式試料ガス種が都市ガスであった場合、特定の閾値とは、ステップ１２４，１２８の各判定で用いられる各閾値のうちの少なくとも１つを指す。ステップ１２４の判定で用いられる閾値は、“０．５”であり、ステップ１２８の判定で用いられる閾値は、“５００ｐｐｍ”である。
【０１１７】
更に、例えば、高精度試料ガス種がＬＰＧであり、簡易式試料ガス種がＬＰＧ及び都市ガスの混合ガスであった場合、特定の閾値とは、ステップ１０２，１０４，１１２，１１４，１１８の各判定で用いられる各閾値のうちの少なくとも１つを指す。ステップ１０２の判定で用いられる閾値は、“３０ｐｐｍ”である。
【０１１８】
なお、特定の閾値に、既に変更済みの閾値が含まれる場合が考えられる。既に変更済みの閾値が含まれる場合とは、例えば、先に、出力部７０によって出力されるガス信号を大気ガス信号からＬＰＧ・発酵ガス信号に変更させ、後に、出力部７０によって出力されるガス信号をＬＰＧ信号から都市ガス信号に変更させる場合を指す。
【０１１９】
この場合、先のガス信号の変更では、ステップ１０２，１０４、１１２、１２４の各判定で用いられる各閾値に、特定の閾値、すなわち、変更対象となる閾値が含まれることがある。これに対し、後のガス信号の変更では、ステップ１０２，１１２，１２４，１２８の各判定で用いられる各閾値に特定の閾値が含まれることがある。この場合、特定の閾値を含めて、高精度ガス種特定装置１４により特定された試料ガスの種類と同じ試料ガスの種類を示すガス信号を出力させるための判定に供した全ての閾値が変更部７２によって必要に応じて微調整されるようにしてもよい。
【０１２０】
すなわち、先のガス信号の変更によって特定可能となった試料ガスの種類の特定精度の低下が最低限に抑えられるように、閾値を用いた判定が行われるステップで用いられる閾値に対して、変更部７２によって最適化処理が実行されてもよい。
【０１２１】
なお、変更部７２は、最適化処理を実行せずに、先のガス信号の変更よりも後のガス信号の変更を優先して実行するようにしてもよい。すなわち、変更部７２は、先のガス信号の変更結果を無視して、後のガス信号の変更結果のみを、高精度ガス種特定装置１４により特定された試料ガスの種類と同じ試料ガスの種類に見合うようにしてもよい。例えば、先ず、出力部７０によって出力されるガス信号がＬＰＧ・発酵ガス信号から都市ガス信号に変更されてから、次いで、出力部７０によって出力されるガス信号が都市・発酵ガス信号から発酵ガス信号に変更されるようにする場合、変更部７２は、出力部７０によって出力されるガス信号をＬＰＧ・発酵ガス信号から都市ガス信号に変更させるために必要な判定が行われるステップで用いられる閾値を変更した結果を無視して、出力部７０によって出力されるガス信号を都市・発酵ガス信号から発酵ガス信号に変更させるように、関連する判定ステップで用いられる閾値を変更する。
【０１２２】
ここで、出力部７０によって出力されるガス信号をＬＰＧ・発酵ガス信号から都市ガス信号に変更させるために必要な判定が行われるステップとは、例えば、ステップ１０２，１１２，１２４，１２８を指す。これに対し、ここで言う「関連する判定ステップ」とは、出力部７０によって出力されるガス信号を都市・発酵ガス信号から発酵ガス信号に変更させるために必要な判定が行われるステップを指す。出力部７０によって出力されるガス信号を都市・発酵ガス信号から発酵ガス信号に変更させるために必要な判定が行われるステップとは、例えば、ステップ１０２，１１２，１２４，１２８，１３４，１３６を指す。
【０１２３】
閾値指示モードとは、特定の閾値の変更内容をユーザに指示させ、ユーザの指示に従って変更部７２が特定の閾値を変更する動作モードを指す。閾値指示モードでは、特定の閾値の変更内容の指示が受付デバイス４６によって受け付けられ、受け付けられた指示に従って変更部７２によって特定の閾値が変更される。
【０１２４】
濃度指示モードとは、高精度ガス種特定装置１４によって特定された試料ガスの種類と、試料ガスに含まれるガス成分について高精度ガス種特定装置１４によって測定された濃度とに基づいて変更部７２が特定の閾値を変更する動作モードを指す。
【０１２５】
図１２に示す例において、ガス種反映モードボタン４８Ｂ２は、ユーザがガス種反映モードを指定する場合に、受付デバイス４６によって受け付けられた指示に従って押される。閾値指示モードボタン４８Ｂ３は、ユーザが閾値指示モードを指定する場合に、受付デバイス４６によって受け付けられた指示に従って押される。濃度指示モードボタン４８Ｂ４は、ユーザが濃度指示モードを指定する場合に、受付デバイス４６によって受け付けられた指示に従って押される。
【０１２６】
ステップ１６８で、処理部７４は、ガス種反映モード、閾値指示モード、及び濃度指示モードの何れかの動作モードを指示するモード指示情報が受付デバイス４６によって受け付けられたか否かを判定する。
【０１２７】
ステップ１６８において、モード指示情報が受付デバイス４６によって受け付けられていない場合は、判定が否定されて、ステップ１７０へ移行する。ステップ１６８において、モード指示情報が受付デバイス４６によって受け付けられた場合は、判定が肯定されて、ステップ１７２へ移行する。
【０１２８】
ステップ１７０で、処理部７４は、終了条件を満足したか否かを判定する。ステップ１７０において、終了条件を満足していない場合は、判定が否定されて、ステップ１６８へ移行する。ステップ１７０において、終了条件を満足した場合は、判定が肯定されて、ガス種特定精度調整処理を終了する。
【０１２９】
ステップ１７２で、処理部７４は、受付デバイス４６によって受け付けられたモード指示情報によりガス種反映モードが指示されているか否かを判定する。ステップ１７２において、受付デバイス４６によって受け付けられたモード指示情報によりガス種反映モードが指示されていない場合は、判定が否定されて、図８に示すステップ１７４へ移行する。ステップ１７２において、受付デバイス４６によって受け付けられたモード指示情報によりガス種反映モードが指示されている場合は、判定が肯定されて、ステップ１７６へ移行する。
【０１３０】
ステップ１７６で、変更部７２は、ステップ１５６において受付デバイス４６によって受け付けられたガス種特定情報に応じて特定の閾値を変更し、その後、ガス種特定精度調整処理を終了する。
【０１３１】
ステップ１７６では、ステップ１５６において受付デバイス４６によって受け付けられたガス種特定情報により特定される試料ガスの種類が簡易式ガス種特定装置１２によって特定されるように特定の閾値が変更部７２によって変更される。すなわち、ステップ１７６では、ステップ１５４のガス信号に対応付けられた濃度情報から、ガス種特定情報により特定される試料ガスの種類と同じ試料ガスの種類を示すガス信号が出力部７０によって出力されるように特定の閾値が変更部７２によって変更される。
【０１３２】
図８に示すステップ１７４で、処理部７４は、受付デバイス４６によって受け付けられたモード指示情報により閾値指示モードが指示されているか否かを判定する。ステップ１７４において、受付デバイス４６によって受け付けられたモード指示情報により閾値指示モードが指示されていない場合は、判定が否定されて、図９に示すステップ１９０へ移行する。ステップ１７４において、受付デバイス４６によって受け付けられたモード指示情報により閾値指示モードが指示されている場合は、判定が肯定されて、ステップ１７８へ移行する。
【０１３３】
ステップ１７８で、処理部７４は、一例として図１３に示すように、ディスプレイ４８に対して、閾値調整画面４８Ｃの表示を開始させ、その後、ステップ１８０へ移行する。
【０１３４】
図１３に示す例では、閾値入力領域８０と、メッセージ８１と、スクロールバー８２とが表示されている。
【０１３５】
メッセージ８１は、ユーザに閾値の入力を促すメッセージである。図１３に示す例では、メッセージ８１の一例として、「閾値を入力して下さい。」というメッセージが示されているが、本発明はこれに限定されず、ユーザに閾値の入力を促す他のメッセージであってもよい。
【０１３６】
閾値入力領域８０は、ガス成分の種類毎に分けられている。図１３に示す例では、閾値入力領域８０Ａ，８０Ｂ，８０Ｃが示されている。閾値入力領域８０Ａは、図４に示すステップ１０２の判定で用いられる閾値、すなわち、メタンの濃度の閾値に関する入力領域である。閾値入力領域８０Ｂは、第１のプロパンの濃度の閾値に関する入力領域である。第１のプロパンの濃度の閾値とは、図５に示すステップ１０４の判定で用いられる閾値を指す。閾値入力領域８０Ｃは、第１のエタン濃度比率の閾値に関する入力領域である。第１のエタン濃度比率の閾値とは、図６に示すステップ１１４の判定で用いられる閾値を指す。
【０１３７】
なお、以下の説明において、特定可燃性ガスの濃度比率の閾値とは、図４に示すステップ１１２の判定で用いられる閾値を指す。また、以下の説明において、第１の炭酸ガスの濃度の閾値とは、図６に示すステップ１１８の判定で用いられる閾値を指す。また、以下の説明において、第２の炭酸ガスの濃度の閾値とは、図４に示すステップ１２８の判定で用いられる閾値を指す。また、以下の説明において、第２のエタン濃度比率の閾値とは、図４に示すステップ１２４の判定で用いられる閾値を指す。また、以下の説明において、第２のプロパンの濃度の閾値とは、図４に示すステップ１３４の判定で用いられる閾値を指す。また、以下の説明において、第３のエタン濃度比率の閾値とは、図４に示すステップ１３６の判定で用いられる閾値を指す。
【０１３８】
閾値入力領域８０Ａは、メッセージ８０Ａ１と、入力可能範囲情報８０Ａ２と、入力欄８０Ａ３とを有する。メッセージ８０Ａ１は、メタンの濃度の閾値に関する入力領域であることを示すメッセージである。入力可能範囲情報８０Ａ２は、入力欄８０Ａ３に入力可能な閾値の上限と下限とを示す情報である。入力欄８０Ａ３は、メタンの濃度の閾値が入力される欄である。入力欄８０Ａ３には、受付デバイス４６によって受け付けられた指示に応じた値が入力される。
【０１３９】
閾値入力領域８０Ｂは、メッセージ８０Ｂ１と、入力可能範囲情報８０Ｂ２と、入力欄８０Ｂ３とを有する。メッセージ８０Ｂ１は、第１のプロパンの濃度の閾値に関する入力領域であることを示すメッセージである。入力可能範囲情報８０Ｂ２は、入力欄８０Ｂ３に入力可能な閾値の上限と下限とを示す情報である。入力欄８０Ｂ３は、第１のプロパンの濃度の閾値が入力される欄である。入力欄８０Ｂ３には、受付デバイス４６によって受け付けられた指示に応じた値が入力される。
【０１４０】
閾値入力領域８０Ｃは、メッセージ８０Ｃ１は、第１のエタン濃度比率の閾値に関する入力領域であることを示すメッセージである。入力可能範囲情報８０Ｃ２は、入力欄８０Ｃ３に入力可能な閾値の上限と下限とを示す情報である。入力欄８０Ｃ３は、第１のエタン濃度比率の閾値が入力される欄である。入力欄８０Ｃ３には、受付デバイス４６によって受け付けられた指示に応じた値が入力される。
【０１４１】
なお、スクロールバー８２は、受付デバイス４６によって受け付けられた指示に従って、図１３の上下方向に閾値調整画面４８Ｃをスクロールさせる。閾値調整画面４８Ｃをスクロールさせると、例えば、特定可燃性ガスの濃度比率の閾値に関する閾値入力領域、第１の炭酸ガスの濃度の閾値に関する閾値入力領域、第２の炭酸ガスの濃度の閾値に関する閾値入力領域、第２のエタン濃度比率の閾値に関する閾値入力領域、第２のプロパンの濃度の閾値に関する閾値入力領域、及び第３のエタン濃度比率の閾値に関する閾値入力領域がディスプレイ４８に表示される。
【０１４２】
閾値調整画面４８Ｃにおいて、閾値入力領域８０Ａ，８０Ｂ，８０Ｃ以外の閾値入力領域にも、閾値入力領域８０Ａ，８０Ｂ，８０Ｃと同様に、ガス成分毎に、該当のガス成分の閾値に関する入力領域であることを示すメッセージと、入力可能範囲情報と、入力欄とが設けられている。
【０１４３】
以下では、説明の便宜上、閾値入力領域８０Ａ，８０Ｂ，８０Ｃ及びこれら以外の閾値入力領域を区別して説明する必要がない場合、符号を付さずに「閾値入力領域」と称する。また、以下では、説明の便宜上、各閾値入力領域に設けられている入力可能範囲情報を区別して説明する必要がない場合、単に「入力可能範囲」と称する。更に、以下では、各閾値入力領域に設けられている入力欄を区別して説明する必要がない場合、単に「入力欄」と称する。なお、本実施形態では、入力可能範囲が、変更部７２により、上述した最適化処理が行われた結果に応じて変更されるが、本発明はこれに限らず、例えば、入力可能範囲は、固定されていてもよい。
【０１４４】
ステップ１８０で、処理部７４は、受付デバイス４６によって閾値の変更内容の指示が受け付けられたか否かを判定する。すなわち、ステップ１８０では、受付デバイス４６によって受け付けられた指示に応じて、閾値入力領域内の入力欄に値が入力されたか否かが判定される。
【０１４５】
ステップ１８０において、受付デバイス４６によって閾値の変更内容の指示が受け付けられていない場合、判定が否定されて、ステップ１８２へ移行する。ステップ１８０において、受付デバイス４６によって閾値の変更内容の指示が受け付けられた場合、判定が肯定されて、ステップ１８４へ移行する。
【０１４６】
ステップ１８２で、処理部７４は、終了条件を満足したか否かを判定する。ステップ１８２において、終了条件を満足していない場合は、判定が否定されて、ステップ１８０へ移行する。ステップ１８２において、終了条件を満足した場合は、判定が肯定されて、ガス種特定精度調整処理を終了する。
【０１４７】
ステップ１８４で、処理部７４は、ステップ１８０にて受付デバイス４６によって受け付けられた指示に応じて入力欄に入力された閾値が、ステップ１５６において受付デバイス４６によって受け付けられたガス種特定情報に応じた閾値であるか否かを判定する。すなわち、ステップ１８４では、ステップ１８０にて受付デバイス４６によって受け付けられた指示に応じて入力欄に入力された閾値が採用されることによって、ガス種特定情報により特定された試料ガスの種類と同じ試料ガスの種類を示すガス信号が出力部７０によって出力されるか否かが判定される。
【０１４８】
ステップ１８４において、ステップ１８０にて受付デバイス４６によって受け付けられた指示に応じて入力欄に入力された閾値が、ステップ１５６において受付デバイス４６によって受け付けられたガス種特定情報に応じた閾値でない場合、判定が否定されて、ステップ１８６へ移行する。ステップ１８４において、ステップ１８０にて受付デバイス４６によって受け付けられた指示に応じて入力欄に入力された閾値が、ステップ１５６において受付デバイス４６によって受け付けられたガス種特定情報に応じた閾値の場合、判定が肯定されて、ステップ１８８へ移行する。
【０１４９】
ステップ１８８で、変更部７２は、特定の閾値、すなわち、現時点で採用されている閾値を、ステップ１８０において受付デバイス４６によって受け付けられた指示に応じて入力欄に入力された閾値に変更し、その後、ガス種特定精度調整処理を終了する。
【０１５０】
ステップ１８６で、処理部７４は、アラート処理を実行し、その後、ステップ１８０へ移行する。ここで、アラート処理とは、入力欄に入力された閾値が不適切であることをユーザに対して報知する処理を指す。
【０１５１】
アラート処理は、例えば、入力欄に入力された閾値が入力可能範囲外の値である場合に実行される。また、アラート処理は、ステップ１８０にて受付デバイス４６によって受け付けられた指示に応じて入力欄に入力された閾値が採用されることによって、ガス種特定情報により特定された試料ガスの種類と同じ試料ガスの種類を示すガス信号が出力部７０によって出力されない場合に実行される。
【０１５２】
ステップ１８６では、一例として図１４に示すように、アラート処理として、メッセージ８１に代えてメッセージ８４をディスプレイ４８に対して表示させる処理が処理部７４によって実行されている。なお、アラート処理は、メッセージ８４をディスプレイ４８に対して表示させる処理に限定されない。例えば、可視表示処理、可聴表示処理、及び永久可視表示処理のうちの少なくとも１つがアラート処理として処理部７４によって実行されるようにしてもよい。ここで、可視表示処理とは、ディスプレイ４８に対してメッセージ８１を可視表示させる処理を指す。可聴表示処理とは、スピーカ（図示省略）により音声でユーザに対して報知する処理を指す。永久可視表示処理とは、プリンタ（図示省略）により用紙等の記録媒体にメッセージ８１に相当するメッセージが印刷されることによりユーザに対して報知する処理を指す。
【０１５３】
図９に示すステップ１９０で、処理部７４は、一例として図１５に示すように、ディスプレイ４８に対して、濃度受付画面４８Ｄの表示を開始させ、その後、ステップ１９２へ移行する。
【０１５４】
一例として図１５に示すように、濃度受付画面４８Ｄは、メッセージ４８Ｄ１、濃度入力欄４８Ｄ２，４８Ｄ３，４８Ｄ４，４８Ｄ５、及び確定ボタン４８Ｄ６を有する。メッセージ４８Ｄ１は、各種ガス成分について高精度ガス種特定装置１４により測定された濃度の入力をユーザに促すメッセージである。ここで、各種ガス成分とは、メタン、プロパン、エタン、及び炭酸ガスを指す。
【０１５５】
図１５には、メッセージ４８Ｄ１の一例として、「高精度ガス種特定装置により測定された濃度を入力して下さい。」とのメッセージが示されている。なお、以下では、説明の便宜上、各種ガス成分について高精度ガス種特定装置１４により測定された濃度を「高精度濃度」と称する。
【０１５６】
図１５に示す例において、濃度入力欄４８Ｄ２には、メタンについての高精度濃度が、受付デバイス４６によって受け付けられた指示に従って入力される。濃度入力欄４８Ｄ３には、プロパンについての高精度濃度が、受付デバイス４６によって受け付けられた指示に従って入力される。濃度入力欄４８Ｄ４には、エタンについての高精度濃度が、受付デバイス４６によって受け付けられた指示に従って入力される。濃度入力欄４８Ｄ５には、炭酸ガスについての高精度濃度が、受付デバイス４６によって受け付けられた指示に従って入力される。
【０１５７】
確定ボタン４８Ｄ６は、濃度入力欄４８Ｄ２，４８Ｄ３，４８Ｄ４，４８Ｄ５に入力された高精度濃度を確定する場合に受付デバイス４６によって受け付けられた指示に応じて押される。
【０１５８】
ステップ１９２で、処理部７４は、受付デバイス４６によって各種ガス成分について高精度濃度情報が受け付けられてから確定ボタン４８Ｄ６が押されたか否かを判定する。ステップ１９２において、受付デバイス４６によって各種ガス成分について高精度濃度情報を受け付けられてから確定ボタン４８Ｄ６が押されていない場合は、判定が否定されて、ステップ１９４へ移行する。ステップ１９２において、受付デバイス４６によって各種ガス成分について高精度濃度情報を受け付けられてから確定ボタン４８Ｄ６が押された場合は、判定が肯定されて、ステップ１９６へ移行する。
【０１５９】
ステップ１９４で、処理部７４は、終了条件を満足したか否かを判定する。ステップ１９４において、終了条件を満足していない場合は、判定が否定されて、ステップ１９２へ移行する。ステップ１９４において、終了条件を満足した場合は、判定が肯定されて、ガス種特定精度調整処理を終了する。
【０１６０】
ステップ１９６で、変更部７２は、ステップ１９２において受付デバイス４６によって受け付けられた高精度濃度情報に従って特定の閾値を変更し、その後、ガス種特定精度調整処理を終了する。
【０１６１】
ステップ１９６では、ステップ１５６において受付デバイス４６によって受け付けられたガス種特定情報により特定された試料ガスの種類と同じ試料ガスの種類を示すガス信号が出力部７０によって出力されるように、ステップ１９２において受付デバイス４６によって受け付けられた高精度濃度情報に従って特定の閾値が変更部７２によって変更される。ここで言う「特定の閾値」とは、ガス種特定情報により特定された試料ガスの種類と同じ試料ガスの種類を示すガス信号を出力部７０に対して出力させるために必要な判定が行われるステップで用いられる閾値を指す。
【０１６２】
以上説明したように、本実施形態に係るガス種特定システム１０では、高精度ガス種特定装置１４により特定された試料ガスの種類が、簡易式ガス種特定装置１２により特定された試料ガスの種類と異なる場合（ステップ１６０：Ｙ）、試料ガスについて、高精度ガス種特定装置１４により特定された試料ガスの種類が簡易式ガス種特定装置１２により特定されるように複数の閾値のうちの特定の閾値が変更部７２によって変更される（ステップ１７６，１８８，１９６）。
【０１６３】
従って、本実施形態に係るガス種特定システム１０によれば、簡易式ガス種特定装置１２よりも試料ガスの種類を高精度に特定する高精度ガス種特定装置１４による特定結果を用いない場合に比べ、簡易式ガス種特定装置１２による試料ガスの種類の特定精度を向上させることができる。この結果、簡易式ガス種特定装置１２の活用により、高精度ガス種特定装置１４の使用頻度を減らすことが可能となる。
【０１６４】
また、本実施形態に係るガス種特定システム１０では、受付デバイス４６によってガス種特定情報が受け付けられる（ステップ１５６：Ｙ）。そして、受付デバイス４６によって受け付けられたガス種特定情報により特定された試料ガスの種類が、簡易式ガス種特定装置１２により特定された試料ガスの種類と異なる場合（ステップ１６０：Ｙ）、試料ガスについて、受付デバイス４６によって受け付けられたガス種特定情報により特定された試料ガスの種類が簡易式ガス種特定装置１２により特定されるように複数の閾値のうちの特定の閾値が変更部７２によって変更される（ステップ１７６）。
【０１６５】
従って、本実施形態に係るガス種特定システム１０によれば、ガス種特定情報を用いない場合に比べ、簡易式ガス種特定装置１２による試料ガスの種類の特定精度の向上に要する手間を軽減することができる。
【０１６６】
また、本実施形態に係るガス種特定システム１０では、受付デバイス４６によって受け付けられたガス種特定情報により特定された試料ガスの種類が、簡易式ガス種特定装置１２により特定された試料ガスの種類と異なる場合（ステップ１６０：Ｙ）、試料ガスについて、受付デバイス４６によって受け付けられたガス種特定情報により特定された試料ガスの種類が簡易式ガス種特定装置１２により特定されるように高精度濃度情報に従って複数の閾値のうちの特定の閾値が変更部７２によって変更される（ステップ１９６）。
【０１６７】
従って、本実施形態に係るガス種特定システム１０によれば、高精度濃度情報を用いない場合に比べ、簡易式ガス種特定装置１２による試料ガスの種類の特定精度を向上させることができる。
【０１６８】
また、本実施形態に係るガス種特定システム１０では、受付デバイス４６によって閾値の変更内容の指示が受け付けられる（ステップ１８０：Ｙ）。そして、高精度ガス種特定装置１４により特定された試料ガスの種類が、簡易式ガス種特定装置１２により特定された試料ガスの種類と異なる場合（ステップ１６０：Ｙ）、試料ガスについて、高精度ガス種特定装置１４により特定された試料ガスの種類が簡易式ガス種特定装置１２により特定されるように複数の閾値のうちの特定の閾値が、受付デバイス４６によって受け付けられた指示に従って変更部７２により変更される（ステップ１８８）。
【０１６９】
従って、本実施形態に係るガス種特定システム１０によれば、受付デバイス４６によって受け付けられた指示に従って複数の閾値のうちの特定の閾値が変更されない場合に比べ、特定の閾値としてユーザの意図に反した値が用いられることを抑制することができる。
【０１７０】
なお、上記実施形態では、簡易式ガス種特定装置１２と高精度ガス種特定装置１４とが通信可能に接続されていない場合を例示したが、本発明はこれに限定されない。例えば、図１６に示すように、簡易式ガス種特定装置１２と高精度ガス種特定装置１４とがネットワーク２０２を介して通信可能に接続されていてもよい。
【０１７１】
図１６に示す例では、複数の簡易式ガス種特定装置１２が図２に示す通信装置４１を介してネットワーク２０２に接続されている。また、高精度ガス種特定装置１４は図３に示す通信装置４１を介してネットワーク２０２に接続されている。よって、高精度ガス種特定装置１４は、ネットワーク２０２を介して、特定の情報を複数の簡易式ガス種特定装置１２のうちの特定の簡易式ガス種特定装置１２に対して送信するようにしてもよい。高精度ガス種特定装置１４から送信された特定の情報は、特定の簡易式ガス種特定装置１２の通信装置４１によって受信され、ＣＰＵ３４による処理に供される。ここで、特定の情報とは、例えば、閾値の変更内容の指示（図８のステップ１８０参照）を示す閾値変更内容指示情報、ガス種特定情報（図７のステップ１５６参照）、及び高精度濃度情報（図９のステップ１９６参照）のうちの少なくとも１つを指す。
【０１７２】
また、一例として図１６に示すように、ネットワーク２０２にサーバ２０４が接続されていてもよい。この場合、高精度ガス種特定装置１４は、サーバ２０４に対して、互いに関連する高精度濃度情報及びガス種特定情報を含む試料ガス情報をサーバ２０４に送信し、サーバ２０４は、高精度ガス種特定装置１４から送信された試料ガス情報を受信する。そして、サーバ２０４は、受信した試料ガス情報を蓄積する。サーバ２０４は、ガス種特定情報毎に高精度濃度情報を蓄積し、高精度濃度情報により示される高精度濃度の統計値を算出する。統計値とは、例えば、平均値又は中央値等を指す。サーバ２０４は、定期的に又は簡易式ガス種特定装置１２の要求に応じて、ガス種特定情報毎に高精度濃度の統計値を簡易式ガス種特定装置１２に送信する。簡易式ガス種特定装置１２の変更部７２は、ガス種特定情報毎の高精度濃度の統計値に従って特定の閾値を変更する。
【０１７３】
また、上記実施形態では、簡易式ガス種特定装置１２にガス種特定精度調整装置１６が内蔵されている場合について説明したが、本発明はこれに限定されない。例えば、図１６に示すサーバ２０４にガス種特定精度調整装置１６に相当する装置を搭載するようにしてもよい。この場合、サーバ２０４がネットワーク２０２を介して簡易式ガス種特定装置１２を制御することで特定の閾値を変更する。
【０１７４】
また、上記実施形態では、ガス信号を記憶装置４３及びディスプレイ４８に出力する場合について説明したが、本発明はこれに限定されるものではない。例えば、簡易式ガス種特定装置１２は、簡易式ガス種特定装置１２と通信可能なパーソナル・コンピュータ、スマートデバイス、及びサーバ装置等のうちの少なくとも１つの外部装置（図示省略）にガス信号を送信するようにしてもよい。
【０１７５】
この場合、外部装置は、ガス信号を受信し、受信したガス信号に応じた処理を実行すればよい。外部装置でのガス信号に応じた処理の一例としては、ディスプレイによる可視表示、音声再生装置により音声が出力されることによる可聴表示、及びプリンタを用いて用紙に記録する永久可視表示のうちの少なくとも１つの表示が挙げられる。また、外部装置でのガス信号に応じた処理の他例としては、特定のメモリにガス信号を記憶する処理が挙げられる。
【０１７６】
また、上記実施形態では、特定可燃性ガスとしてエタン及びプロパンを例示したが、本発明はこれに限定されるものではなく、特定可燃性ガスはエタン、プロパン、及びブタンであってもよい。なお、この場合、ステップ１１２で算出される「特定可燃性ガスの濃度比率」とは、ステップ１００で取得された濃度情報により示されるエタンの濃度とプロパンの濃度とブタンの濃度の和に対して、ステップ１１０で算出されたＹ値を乗じて得た値を指す。
【０１７７】
また、上記実施形態では、特定可燃性ガスの濃度比率を用いて複数種類のガス成分信号が選択的に出力される場合について説明したが、特定可燃性ガスの濃度そのものを用いて複数種類のガス成分信号が選択的に出力されるようにしてもよい。
【０１７８】
また上記実施形態では、エタンの濃度比率を用いて複数種類のガス成分信号が選択的に出力される場合について説明したが、エタンの濃度そのものを用いて複数種類のガス成分信号が選択的に出力されるようにしてもよい。
【０１７９】
また、上記実施形態では、ガス種特定精度調整プログラム５３を記憶装置４３から読み出す場合を例示したが、必ずしも最初から記憶装置４３に記憶させておく必要はない。例えば、図１７に示すように、ＳＳＤ、ＵＳＢ（Ｕｎｉｖｅｒｓａｌ  Ｓｅｒｉａｌ  Ｂｕｓ）メモリ、又はＤＶＤ−ＲＯＭ（Ｄｉｇｉｔａｌ  Ｖｅｒｓａｔｉｌｅ  Ｄｉｓｋ  Ｒｅａｄ  Ｏｎｌｙ  Ｍｅｍｏｒｙ）等の任意の可搬型の記憶媒体３００に先ずはガス種特定精度調整プログラム５３を記憶させておいてもよい。この場合、記憶媒体３００のガス種特定精度調整プログラム５３が簡易式ガス種特定装置１２にインストールされ、インストールされたガス種特定精度調整プログラム５３がＣＰＵ３４によって実行される。
【０１８０】
また、通信網（図示省略）を介して簡易式ガス種特定装置１２に接続される他のコンピュータ又はサーバ装置等の記憶部にガス種特定精度調整プログラム５３を記憶させておき、ガス種特定精度調整プログラム５３が簡易式ガス種特定装置１２の要求に応じてダウンロードされて簡易式ガス種特定装置１２にインストールされるようにしてもよい。また、ガス種特定精度調整プログラム５３のインストール先は、簡易式ガス種特定装置１２に限定されず、例えば、図１６に示すサーバ２０４であってもよい。
【０１８１】
また、上記実施形態で説明したガス種特定精度調整処理はあくまでも一例である。従って、主旨を逸脱しない範囲内において不要なステップを削除したり、新たなステップを追加したり、処理順序を入れ替えたりしてもよいことは言うまでもない。
【０１８２】
また、上記実施形態では、ＣＰＵ３４，５２等の汎用プロセッサを例示したが、本発明はこれに限定されない。例えば、汎用プロセッサに代えて専用プロセッサを用いてもよいし、汎用プロセッサ及び専用プロセッサによって分散処理が実行されるようにしてもよい。
【０１８３】
また、上記実施形態では、コンピュータを利用したソフトウェア構成によりガス種特定精度調整処理が実現される場合を例示したが、本発明はこれに限定されるものではない。例えば、コンピュータを利用したソフトウェア構成に代えて、Ｆｉｅｌｄ−Ｐｒｏｇｒａｍｍａｂｌｅ  Ｇａｔｅ  Ａｒｒａｙ（ＦＰＧＡ）又はＡｐｐｌｉｃａｔｉｏｎ  Ｓｐｅｃｉｆｉｃ  Ｉｎｔｅｇｒａｔｅｄ  Ｃｉｒｃｕｉｔ（ＡＳＩＣ）等のハードウェア構成のみによってガス種特定精度調整処理が実行されるようにしてもよい。また、ガス種特定精度調整処理は、ソフトウェア構成とハードウェア構成との組み合わせで実行されるようにしてもよい。
【０１８４】
本明細書に記載された全ての文献、特許出願及び技術規格は、個々の文献、特許出願及び技術規格が参照により取り込まれることが具体的かつ個々に記された場合と同程度に、本明細書中に参照により取り込まれる。
【符号の説明】
【０１８５】
１０  ガス種特定システム
１２  簡易式ガス種特定装置
１４  高精度ガス種特定装置
１６  ガス種特定精度調整装置
３４  ＣＰＵ
４０  制御装置
４６  受付デバイス
５３  ガス種特定精度調整プログラム
７０  出力部
７２  変更部
【図１】
2019184551.tif 000004
【図２】
2019184551.tif 000005
【図３】
2019184551.tif 000006
【図４】
2019184551.tif 000007
【図５】
2019184551.tif 000008
【図６】
2019184551.tif 000009
【図７】
2019184551.tif 000010
【図８】
2019184551.tif 000011
【図９】
2019184551.tif 000012
【図１０】
2019184551.tif 000013
【図１１】
2019184551.tif 000014
【図１２】
2019184551.tif 000015
【図１３】
2019184551.tif 000016
【図１４】
2019184551.tif 000017
【図１５】
2019184551.tif 000018
【図１６】
2019184551.tif 000019
【図１７】
2019184551.tif 000020